(57)【要約】【課題】  簡便な回路構成で、オーディオ信号の有線入力と無線受信とを自動的に切り替えることができるヘッドホンを提供する。【解決手段】  本発明によるヘッドホンは、電源スイッチ１６によってバッテリ１５による電圧供給が禁止される場合、受信部１２の動作が停止状態とされ、経路切替部１７がオーディオ信号出力経路を、入力端子１１からスピーカー１４Ｌ、１４Ｒへ至る経路に切り替える。また、電源スイッチ１６によってバッテリ１５による電圧供給が許可される場合、受信部１２が動作状態とされ、経路切替部１７がオーディオ信号出力経路を、受信部１２からスピーカー１４Ｌ、１４Ｒへ至る経路に切り替える。これによって、ヘッドホン１の電源スイッチ１６の切り替えに連動してオーディオ信号の有線入力と無線受信とを自動的に切り替えることができる。【選択図】  図１
2009224911.tif 000002
【特許請求の範囲】
【請求項１】
オーディオ信号が有線入力される入力手段と、
オーディオ信号を無線受信する受信手段と、
オーディオ信号を音声として再生するスピーカー手段と、
該受信手段に電圧を供給するバッテリと、
該バッテリから供給される電圧に応じて、スピーカーへのオーディオ信号出力経路を、該入力手段からスピーカーへオーディオ信号が出力される第１の経路、又は、該受信手段からスピーカーへオーディオ信号が出力される第２の経路に切り替える経路切替手段と、
該バッテリから、該受信手段と該経路切替手段とへの電圧供給を禁止又は許可する電源スイッチ手段とを備え；
該電源スイッチ手段によって該バッテリによる電圧供給が禁止される場合、該受信手段の動作が停止状態とされ、該経路切替手段がスピーカーへのオーディオ信号出力経路を該第１の経路に切り替え、
該電源スイッチ手段によって該バッテリによる電圧供給が許可される場合、該受信手段が動作状態とされ、該経路切替手段がスピーカーへのオーディオ信号出力経路を該第２の経路に切り替える、ヘッドホン。
【請求項２】
前記経路切替手段が、
前記バッテリから供給される電圧が所定の電圧未満である場合、スピーカーへのオーディオ信号出力経路を前記第１の経路に切り替え、
該バッテリから供給される電圧が所定の電圧以上である場合、スピーカーへのオーディオ信号出力経路を前記第２の経路に切り替える、請求項１に記載のヘッドホン。
【請求項３】
前記電源スイッチ手段によって前記受信手段への電圧供給が許可されて該受信手段が動作状態であるとき、
前記切替手段が、前記バッテリから供給される電圧が前記所定の電圧未満である場合に、前記オーディオ信号入力経路を、前記第２の経路から前記第１の経路に切り替える、請求項２に記載のヘッドホン。
【請求項４】
オーディオ信号が有線入力される入力手段と、
オーディオ信号を無線受信する受信手段と、
オーディオ信号を音声として再生するスピーカー手段と、
該受信手段に電圧を供給するバッテリと、
該バッテリから供給される電圧に応じて、スピーカーへのオーディオ信号出力経路を、該入力手段からスピーカーへオーディオ信号が出力される第１の経路、又は、該受信手段からスピーカーへオーディオ信号が出力される第２の経路に切り替える経路切替手段とを備え；
該経路切替手段が、
該バッテリから供給される電圧が所定の電圧未満である場合、スピーカーへのオーディオ信号出力経路を該第１の経路に切り替え、
該バッテリから供給される電圧が所定の電圧以上である場合、スピーカーへのオーディオ信号出力経路を該第２の経路に切り替える、ヘッドホン。
【発明の詳細な説明】
【技術分野】
【０００１】
本発明は、オーディオ信号を有線入力及び無線受信可能なヘッドホンに関する。
【背景技術】
【０００２】
オーディオ信号を有線入力及び無線受信可能な従来のヘッドホンは、電源スイッチの他に、オーディオ信号の有線入力と無線受信とを切り替えるためのスイッチを備え、ユーザが当該スイッチを手動操作することによって、スイッチを切り替えることができる。しかし、手動操作用スイッチはある程度の設置スペースを必要とするので、ヘッドホン等の小さな電子機器においては、手動操作用スイッチの使用数をできるだけ減らすことが重要である。
【０００３】
そこで、有線入力のための入力端子に、オーディオ信号ケーブルの接続状態に応じてオンオフするスイッチを内蔵し、オーディオ信号ケーブルが入力端子に接続されて当該スイッチがオン（又はオフ）することによって、無線受信回路の動作が停止され、オーディオ信号ケーブルを通じて入力されるオーディオ信号を、再生するヘッドホンがある。
【０００４】
また、下記特許文献１に記載のヘッドホンは、オーディオ信号ケーブルが一方のケーブルと他方のケーブルとに分離し、互いのケーブルを着脱自在に接続する接続手段を備えており、そのケーブルの分離及び接続が検出される。そして、その検出結果に基づいて有線入力と無線受信とが切り替えられることで、通常は有線入力でオーディオ信号の入力を行い、コードの到達範囲を越えてヘッドホンを使用する場合は、無線受信を行うことが可能なヘッドホンがある。
【０００５】
以上のようなヘッドホンは、手動操作用スイッチを備える必要がなく、さらにはオーディオ信号の有線入力と無線受信との自動切替を可能として、有線入力の際には受信回路を動作させないことで消費電力を抑えることができる。しかし、有線入力用信号ケーブルの接続状態に応じてオンオフするスイッチを内蔵するスイッチ付き入力端子は、スイッチが内蔵されない入力端子よりも高価であり、コストアップの原因となる問題がある。また、特許文献１に記載のヘッドホンは、回路構成が複雑になってしまう。
【０００６】
【特許文献１】特開２００３−３１９４８５号公報
【発明の開示】
【発明が解決しようとする課題】
【０００７】
本発明は、上記の従来の技術が有する問題を解決するためになされたものであり、その目的は、簡便な回路構成で、オーディオ信号の有線入力と無線受信とを自動的に切り替えることができるヘッドホンを提供することにある。
【課題を解決するための手段】
【０００８】
本発明の好ましい実施形態によるヘッドホンは、オーディオ信号が有線入力される入力手段と、オーディオ信号を無線受信する受信手段と、オーディオ信号を音声として再生するスピーカー手段と、該受信手段に電圧を供給するバッテリと、該バッテリから供給される電圧に応じて、スピーカーへのオーディオ信号出力経路を、該入力手段からスピーカーへオーディオ信号が出力される第１の経路、又は、該受信手段からスピーカーへオーディオ信号が出力される第２の経路に切り替える経路切替手段と、該バッテリから、該受信手段と該経路切替手段とへの電圧供給を禁止又は許可する電源スイッチ手段とを備え；該電源スイッチ手段によって該バッテリによる電圧供給が禁止される場合、該受信手段の動作が停止状態とされ、該経路切替手段がスピーカーへのオーディオ信号出力経路を該第１の経路に切り替え、該電源スイッチ手段によって該バッテリによる電圧供給が許可される場合、該受信手段が動作状態とされ、該経路切替手段がスピーカーへのオーディオ信号出力経路を該第２の経路に切り替える。
【０００９】
さらに好ましい実施形態においては、上記経路切替手段が、上記バッテリから供給される電圧が所定の電圧未満である場合、スピーカーへのオーディオ信号出力経路を上記第１の経路に切り替え、該バッテリから供給される電圧が所定の電圧以上である場合、スピーカーへのオーディオ信号出力経路を上記第２の経路に切り替える。
【００１０】
さらに好ましい実施形態においては、上記電源スイッチ手段によって上記受信手段への電圧供給が許可されて該受信手段が動作状態であるとき、上記切替手段が、上記バッテリから供給される電圧が上記所定の電圧未満である場合に、上記オーディオ信号入力経路を、上記第２の経路から上記第１の経路に切り替える。
【００１１】
本発明の別の好ましい実施形態によるヘッドホンは、オーディオ信号が有線入力される入力手段と、オーディオ信号を無線受信する受信手段と、オーディオ信号を音声として再生するスピーカー手段と、該受信手段に電圧を供給するバッテリと、該バッテリから供給される電圧に応じて、スピーカーへのオーディオ信号出力経路を、該入力手段からスピーカーへオーディオ信号が出力される第１の経路、又は、該受信手段からスピーカーへオーディオ信号が出力される第２の経路に切り替える経路切替手段とを備え；該経路切替手段が、該バッテリから供給される電圧が所定の電圧未満である場合、スピーカーへのオーディオ信号出力経路を該第１の経路に切り替え、該バッテリから供給される電圧が所定の電圧以上である場合、スピーカーへのオーディオ信号出力経路を該第２の経路に切り替える
【発明の効果】
【００１２】
本発明によれば、電源スイッチ手段によってバッテリによる電圧供給が禁止される場合、受信手段及び増幅手段の動作が停止状態とされ、経路切替手段がスピーカーへのオーディオ信号出力経路を第１の経路に切り替える。また、電源スイッチ手段によってバッテリによる電圧供給が許可される場合、受信手段及び増幅手段が動作状態とされ、経路切替手段がスピーカーへのオーディオ信号出力経路を第２の経路に切り替える。これによって、ヘッドホンの電源スイッチの切り替えに連動してオーディオ信号の有線入力と無線受信とを自動的に切り替えることができる。
【００１３】
さらに、経路切替手段が、バッテリから供給される電圧が所定の電圧未満である場合、スピーカーへのオーディオ信号出力経路を第１の経路に切り替える。また、バッテリから供給される電圧が所定の電圧以上である場合、経路切替手段はスピーカーへのオーディオ信号出力経路を第２の経路に切り替える。これによって、有線入力されるオーディオ信号又は無線受信するオーディオ信号のいずれを再生するかについて、バッテリの蓄電量に応じて自動的に切り替えることができる。
【００１４】
さらに、電源スイッチ手段によって受信手段及び増幅手段への電圧供給が許可されて受信手段及び増幅手段が動作状態であるとき、切替手段が、バッテリから供給される電圧が所定の電圧未満である場合に、オーディオ信号入力経路を、第２の経路から第１の経路に切り替える。これによって、電源スイッチがオン状態でオーディオ信号を無線受信している場合に、バッテリの蓄電量が少なくなったとき、自動的にオーディオ信号を有線入力へ切り替えて再生することができる。
【発明を実施するための最良の形態】
【００１５】
以下、本発明の好ましい実施形態によるヘッドホンについて説明するが、本発明はこれらの実施形態には限定されない。図中同一又は相当部分には同一符号を付してその説明を援用する。
【００１６】
まず、図１を参照して、本発明のヘッドホン１の概略構成を説明する。図１は、本発明の好ましい実施形態によるヘッドホン１を示す回路ブロック図である。
【００１７】
ヘッドホン１は、オーディオ信号Ｌ／Ｒを有線入力又は無線受信可能なヘッドホンである。ヘッドホン１は、入力端子１１と、受信部１２と、増幅部１３と、Ｌチャンネル用のスピーカー１４Ｌと、Ｒチャンネル用のスピーカー１４Ｒと、バッテリ１５と、電源スイッチ１６と、切替部１７とを備え、電源スイッチ１６のオンオフやバッテリ１５の蓄電量に応じてオーディオ信号の有線入力と無線受信とを切り替えることができる。
【００１８】
入力端子１１は、オーディオ信号ケーブル（図示せず）が接続されて、当該ケーブルを介してアナログのＬ／Ｒチャンネル用のオーディオ信号Ｌ／Ｒが入力される。入力端子１１から入力されたオーディオ信号Ｌはスピーカー１４Ｌへ出力され、オーディオ信号Ｒはスピーカー１４Ｒへ出力される。
【００１９】
受信部１２は、外部機器（図示せず）からデジタル無線伝送されるオーディオ信号Ｌ／Ｒをアンテナ１２１で受信し、受信するオーディオ信号Ｌ／Ｒを、デジタル信号からアナログ信号に変換して後述の増幅部１３に出力する。デジタル無線伝送方式は、例えば、２．４ＧＨｚ帯や５．０ＧＨｚ帯の周波数帯で、変調方式がＤＳＳＳ（Ｄｉｒｅｃｔ
Ｓｅｑｕｅｎｃｅ Ｓｐｒｅａｄ Ｓｐｅｃｔｒｕｍ）やＷｉ−Ｆｉ（Ｗｉｒｅｌｅｓｓ Ｆｉｄｅｌｉｔｙ）などである。
【００２０】
増幅部１３は、受信部１２から出力されるオーディオ信号Ｌ／Ｒを増幅し、オーディオ信号Ｌをスピーカー１４Ｌへ出力し、オーディオ信号Ｒをスピーカー１４Ｒへ出力する。そして、スピーカー１４Ｌ、１４Ｒはオーディオ信号Ｌ／Ｒを再生する。
【００２１】
バッテリ１５は、受信部１２及び増幅部１３に接続され、これらに電圧を供給する。  電源スイッチ１６は、ユーザ操作によって切り替えられ、バッテリ１５から受信部１２及び増幅部１３への電圧の供給を禁止又は許可する。電源スイッチ１６は、バッテリ１５と、受信部１２及び増幅部１３との間に接続される。電源スイッチ１６がオフされた場合、受信部１２及び増幅器１３は動作停止状態となる。また、バッテリ１５の蓄電量が受信部１２及び増幅部１３を動作させることができる量に満たない場合にも、受信部１２及び増幅器１３は動作停止状態となる。
【００２２】
切替部１７は、電源スイッチ１６を介してバッテリ１５と接続され、減圧調整された切替電圧Ｖ１が供給される。切替部１７は、その切替電圧Ｖ１に応じて、スピーカー１４Ｌ、１４Ｒへのオーディオ信号出力経路を、入力端子１１からスピーカー１４Ｌ、１４Ｒへオーディオ信号Ｌ／Ｒが出力される経路、又は、受信部１２からスピーカー１４Ｌ、１４Ｒへオーディオ信号Ｌ／Ｒが出力される経路とに切り替える。
【００２３】
具体的には、切替部１７はリレー１７１、１７２を備える。リレー１７１、１７２はそれぞれ、固定接点である入力接点ａ、入力接点ｂ及び可動接点である出力接点ｃを備え、リレー１７１の入力接点ａは、増幅部１３から出力されるオーディオ信号Ｌが入力される。リレー１７１の入力接点ｂは、入力端子１１からオーディオ信号Ｌが入力される。リレー１７１の出力接点ｃは、スピーカー１４Ｌが接続され、入力接点ａ又は入力接点ｂから入力されたオーディオ信号Ｌを出力する。リレー１７２の入力接点ａは、増幅部１３から出力されるオーディオ信号Ｒが入力される。リレー１７２の入力接点ｂは、入力端子１１からオーディオ信号Ｒが入力される。リレー１７２の出力接点ｃは、スピーカー１４Ｒが接続され、入力接点ａ又は入力接点ｂから入力されたオーディオ信号Ｒを出力する。また、リレー１７１、１７２は、それぞれ切替電圧Ｖ１が供給され、この切替電圧Ｖ１が所定の電圧Ｖａ未満である場合、入力接点ｂと出力接点ｃとを接続し、スピーカー１４Ｌ、１４Ｒへのオーディオ信号出力経路を、入力端子１１からスピーカー１４Ｌ、１４Ｒへオーディオ信号Ｌ／Ｒが出力される経路にする。切替電圧Ｖ１が所定の電圧Ｖａ以上である場合、リレー１７１、１７２は、入力接点ａと出力接点ｃとを接続し、スピーカー１４Ｌ、１４Ｒへのオーディオ信号出力経路を、受信部１２からスピーカー１４Ｌ、１４Ｒへオーディオ信号Ｌ／Ｒが出力される経路にする。
【００２４】
次に、以上の構成から成るヘッドホン１の動作について説明する。
【００２５】
まず、ユーザが、有線入力によるオーディオ信号Ｌ／Ｒをヘッドホン１で再生させたい場合、電源スイッチ１６をオフ状態にする。電源スイッチ１６がオフ状態である場合、受信部１２及び増幅部１３はバッテリ１５から電圧が供給されないので動作停止状態となる。また、リレー１７１、１７２は、バッテリ１５からの電圧供給が禁止されることによって、切替電圧Ｖ１が所定の電圧Ｖａ未満となるので、入力接点ｂと出力接点ｃとを接続する。その結果、入力端子１１から入力されるオーディオ信号Ｌ／Ｒがスピーカー１４Ｌ、１４Ｒに出力される。
【００２６】
また、ユーザが、無線受信によるオーディオ信号Ｌ／Ｒをヘッドホン１で再生させたい場合は、電源スイッチ１６をオン状態にする。電源スイッチ１６がオン状態である場合、受信部１２及び増幅部１３はバッテリ１５から電圧が供給されて動作状態であるので、オーディオ信号Ｌ／Ｒを受信して増幅する。また、リレー１７１、１７２は、バッテリ１５からの電圧供給が許可されることによって、切替電圧Ｖ１が所定の電圧Ｖａ以上となるので、入力接点ａと出力接点ｃとを接続する。その結果、受信部１２で受信されるオーディオ信号Ｌ／Ｒがスピーカー１４Ｌ、１４Ｒに出力される。以上によって、電源スイッチ１６のオンオフに連動してオーディオ信号Ｌ／Ｒをヘッドホン１へ有線入力させて再生するか、オーディオ信号Ｌ／Ｒをヘッドホン１に無線受信させて再生するかを切り替えることができる。
【００２７】
次に、オーディオ信号Ｌ／Ｒの無線受信時の受信部１２及び増幅部１３の動作によって電力が消費され、バッテリ１５の蓄電量が残り少なくなった場合、つまりバッテリ１５が出力する電圧が所定の電圧未満である場合は、受信部１２及び増幅部１３は、動作するための充分な電圧が供給されないので動作停止状態となる。また、バッテリ１５が出力する電圧が所定の電圧未満である場合には、切替電圧Ｖ１も所定の電圧Ｖａ未満となり、リレー１７１、１７２は、入力接点ｂと出力接点ｃとを接続する。その結果、入力端子１１から入力されるオーディオ信号Ｌ／Ｒがスピーカー１４Ｌ、１４Ｒに出力される。
【００２８】
電源スイッチ１６がオン状態でオーディオ信号Ｌ／Ｒを無線受信しているとき、バッテリ１５の蓄電量が受信部１２及び増幅部１３を動作させることができる量である場合、つまりバッテリ１５から出力される電圧が所定の電圧以上である場合、受信部１２及び増幅部１３はバッテリ１５から電圧供給されて動作状態となる。また、バッテリ１５から出力される電圧が所定の電圧以上である場合には、切替電圧Ｖ１も所定の電圧Ｖａ以上となり、リレー１７１、１７２は、入力接点ａと出力接点ｃとを接続する。その結果、受信部１２で受信されるオーディオ信号Ｌ／Ｒがスピーカー１４Ｌ、１４Ｒに出力される。以上により、電源スイッチ１６がオン状態でオーディオ信号Ｌ／Ｒを無線受信している場合に、バッテリ１５の蓄電量が残り少なくなったとき、自動的にオーディオ信号Ｌ／Ｒを有線入力へ切り替えることができる。また、バッテリ１５の蓄電量が受信部１２及び増幅部１３を動作させることができる量であるときには、オーディオ信号Ｌ／Ｒをヘッドホン１に無線受信を継続させることができる。なお、電源スイッチ１６がオフ状態でオーディオ信号Ｌ／Ｒを有線入力しているときは、バッテリ１５の蓄電量にかかわらず、有線入力を継続する。
【００２９】
次に、本発明の別の好ましい実施形態であるヘッドホン２について説明する。図２は、本発明の別の好ましい実施形態であるヘッドホン２を示す回路ブロック図である。ヘッドホン２は、電源スイッチ１６を備えない点以外は上述のヘッドホン１と同じ構成である。ヘッドホン２は、バッテリ１５の蓄電量に応じてオーディオ信号の有線入力と無線受信とを切り替えることができる。以下、その動作について説明する。
【００３０】
オーディオ信号Ｌ／Ｒの無線受信時の受信部１２や増幅部１３の動作によって電力が消費され、バッテリ１５の蓄電量が残り少なくなった場合、つまりバッテリ１５が出力する電圧が所定の電圧未満である場合は、受信部１２及び増幅部１３は、動作するための充分な電圧が供給されないので動作停止状態となる。また、バッテリ１５が出力する電圧が所定の電圧未満である場合には、切替電圧Ｖ１も所定の電圧Ｖａ未満となり、リレー１７１、１７２は、入力接点ｂと出力接点ｃとを接続する。その結果、入力端子１１から入力されるオーディオ信号Ｌ／Ｒがスピーカー１４Ｌ、１４Ｒに出力される。
【００３１】
バッテリ１５の蓄電量が受信部１２及び増幅部１３を動作させることができる量である場合、つまりバッテリ１５から出力される電圧が所定の電圧以上である場合、受信部１２及び増幅部１３はバッテリ１５から電圧供給されて動作状態となる。また、バッテリ１５から出力される電圧が所定の電圧以上である場合には、切替電圧Ｖ１も所定の電圧Ｖａ以上となり、リレー１７１、１７２は、入力接点ａと出力接点ｃとを接続する。その結果、受信部１２で受信されるオーディオ信号Ｌ／Ｒがスピーカー１４Ｌ、１４Ｒに出力される。以上により、バッテリ１５の蓄電量が受信部１２及び増幅部１３を動作させることができる量であるときには、オーディオ信号Ｌ／Ｒの無線受信を継続し、バッテリ１５の蓄電量が残り少なくなったときは、自動的にオーディオ信号Ｌ／Ｒを有線入力へ切り替えることができる。
【００３２】
次に、本発明のさらに別の好ましい実施形態であるヘッドホン３について説明する。図３は、本発明の別の好ましい実施形態であるヘッドホン３を示す回路ブロック図である。ヘッドホン３は、バッテリ１５の蓄電量を判断する判断部１８をさらに備え、切替信号Ｖ１が判断部１８から出力される点以外は上述のヘッドホン２と同じ構成である。判断部１８は、バッテリ１５と切替部１７との間に接続され、バッテリ１５からバッテリ電圧Ｖ２が入力される。判断部１８は、バッテリ電圧Ｖ２が所定の電圧Ｖｂ以上か否かを判断し、その判断結果に基づいて切替信号Ｖ１を切替部１２へ出力することによって、オーディオ信号の有線入力と無線受信とを切り替えることができる。なお、判断部１８は例えばマイクロコンピュータなどである。以下、ヘッドホン３の動作について説明する。
【００３３】
バッテリ１５の蓄電量が受信部１２や増幅部１３を動作させることができる量である場合、すなわち、バッテリ１５から出力されるバッテリ電圧Ｖ２が所定の電圧Ｖｂ以上である場合、判断部１８は、ハイレベルの切替信号Ｖ１を出力し、切替部１７を受信部１２からスピーカー１４Ｌ、１４Ｒまでのオーディオ信号出力経路に切り替える。ここでいう、ハイレベルの切替信号Ｖ１とは、リレー１７１、１７２の入力接点ａと出力接点ｃとを接続状態にさせるための所定の電圧Ｖａ以上の電圧のことである。また、オーディオ信号Ｌ／Ｒの無線受信時の受信部１２や増幅部１３の動作によって電力が消費され、バッテリ１５の蓄電量が残り少なくなった場合、すなわち、バッテリ１５から出力されるバッテリ電圧Ｖ２が所定の電圧Ｖｂ以上である場合、判断部１８は、ローレベルの切替信号Ｖ１を出力し、切替部１７を入力部１１からスピーカー１４Ｌ、１４Ｒまでのオーディオ信号出力経路に切り替える。ここでいう、ローレベルの切替信号Ｖ１とは、リレー１７１、１７２の入力接点ｂと出力接点ｃとを接続状態にさせるための所定の電圧Ｖａ未満の電圧のことである。以上により、バッテリ１５の蓄電量が受信部１２や増幅部１３を動作させることができる量であるときには、ヘッドホン３はオーディオ信号Ｌ／Ｒの無線受信を継続する。また、バッテリ１５の蓄電量が残り少なくなったとき、自動的にオーディオ信号Ｌ／Ｒを無線受信から有線入力へ切り替えることができる。なお、ヘッドホン３に、上述のヘッドホン１と同じ電源スイッチ１６をさらに備えていても良い。
【００３４】
次に、本発明のさらに別の好ましい実施形態であるヘッドホン４について説明する。図４は、本発明の別の好ましい実施形態であるヘッドホン４を示す回路ブロック図である。ヘッドホン４は、入力端子１１がスピーカー１４Ｌ、１４Ｒと直接接続され、増幅部１３はスイッチ１７３、１７４を介してスピーカー１４Ｌ、１４Ｒと接続されており、それ以外は上述のヘッドホン１と同じ構成である。スイッチ１７３、１７４は、電源スイッチ１６を介してバッテリ１５と接続され、減圧調整された切替電圧Ｖ１が供給される。スイッチ１７３、１７４は、その切替電圧Ｖ１に応じてオンオフされ、受信部１２からスピーカー１４Ｌ、１４Ｒへのオーディオ信号出力を許可又は禁止する。
【００３５】
ユーザが、有線入力によるオーディオ信号Ｌ／Ｒをヘッドホン１で再生させたい場合、電源スイッチ１６をオフ状態にすると、受信部１２及び増幅部１３はバッテリ１５から電圧が供給されないので動作停止状態となる。また、スイッチ１７３、１７４は、バッテリ１５からの電圧供給が禁止されることによって、切替電圧Ｖ１が所定の電圧Ｖａ未満となるのでオフ状態になる。その結果、スピーカー１４Ｌ、１４Ｒへオーディオ信号Ｌ／Ｒを入力可能な経路は、入力端子１１からの経路となる。このとき、入力端子１１にオーディオ信号ケーブルが接続されて、オーディオ信号Ｌ／Ｒが入力されていれば、スピーカー１４Ｌ、１４Ｒへ出力されることになる。
【００３６】
また、ユーザが、無線受信によるオーディオ信号Ｌ／Ｒをヘッドホン１で再生させたい場合、電源スイッチ１６をオン状態にすると、受信部１２及び増幅部１３はバッテリ１５から電圧が供給されて動作状態であるので、オーディオ信号Ｌ／Ｒを受信して増幅する。また、スイッチ１７３、１７４は、バッテリ１５からの電圧供給が許可されることによって、切替電圧Ｖ１が所定の電圧Ｖａ以上となるので、オン状態となる。その結果、受信部１２で受信されるオーディオ信号Ｌ／Ｒがスピーカー１４Ｌ、１４Ｒに出力される。
【００３７】
さらに、オーディオ信号Ｌ／Ｒの無線受信時の受信部１２及び増幅部１３の動作によって電力が消費され、バッテリ１５の蓄電量が残り少なくなった場合、つまりバッテリ１５が出力する電圧が所定の電圧未満である場合は、受信部１２及び増幅部１３は、動作するための充分な電圧が供給されないので動作停止状態となる。また、バッテリ１５が出力する電圧が所定の電圧未満である場合には、切替電圧Ｖ１も所定の電圧Ｖａ未満となり、スイッチ１７３、１７４は、オフ状態となる。その結果、入力端子１１から入力されるオーディオ信号Ｌ／Ｒがスピーカー１４Ｌ、１４Ｒに出力される。
【００３８】
電源スイッチ１６がオン状態でオーディオ信号Ｌ／Ｒを無線受信しているとき、バッテリ１５の蓄電量が受信部１２及び増幅部１３を動作させることができる量である場合、つまりバッテリ１５から出力される電圧が所定の電圧以上である場合、受信部１２及び増幅部１３はバッテリ１５から電圧供給されて動作状態となる。また、バッテリ１５から出力される電圧が所定の電圧以上である場合には、切替電圧Ｖ１も所定の電圧Ｖａ以上となり、リレー１７３、１７４は、オン状態となる。その結果、受信部１２で受信されるオーディオ信号Ｌ／Ｒがスピーカー１４Ｌ、１４Ｒに出力される。
【００３９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００４０】
例えば、本実施例において、受信部１２をデジタル無線伝送されるオーディオ信号Ｌ／Ｒを受信して増幅部１３に出力させるようにしたが、受信部１２は、アナログ無線伝送されるオーディオ信号Ｌ／Ｒを、アンテナ１２１で受信して増幅部１３に出力するようにしてもよい。アナログ無線伝送の伝送方式は、例えば、ＦＭ（Ｆｒｅｑｕｅｎｃｙ
Ｍｏｄｕｌａｔｉｏｎ）方式などである。
【００４１】
また、ヘッドホン２及び３においても、上述のヘッドホン４のように入力端子１１をスピーカー１４Ｌ、１４Ｒと直接続し、増幅部１３をスイッチ１７３、１７４を介してスピーカー１４Ｌ、１４Ｒと接続し、バッテリ１５の蓄電量に応じてオーディオ信号の出力経路を切り替えることができる。
【００４２】
さらに、本発明に係るヘッドホンは、さらにオーディオ信号ケーブルの接続／非接続に応じて、オーディオ信号の有線入力と無線受信とを切り替えるようにしても良い。具体的には、入力端子を、接続されるオーディオ信号ケーブルの接続／非接続に応じてオンオフするスイッチを備える入力端子とし、入力端子にオーディオ信号ケーブルが接続されて、入力端子内のスイッチがオフ（又はオン）されることによって、受信部１２及び増幅部１３の動作を停止させ、入力端子１１からスピーカー１４Ｌ、１４Ｒにオーディオ信号Ｌ／Ｒが出力されるよう切替部１７でオーディオ信号出力経路を切り替えるようにしても良い。これによって、電源スイッチがオン状態でオーディオ信号を無線伝送によって受信している場合であっても、オーディオ信号ケーブルが入力端子に接続するだけで、自動的にオーディオ信号Ｌ／Ｒを有線入力へ切り替えることができる。
【産業上の利用可能性】
【００４３】
本発明のヘッドホンは、オーディオ信号を有線入力及び無線受信可能なヘッドホンに好適に用いられ得る。
【図面の簡単な説明】
【００４４】
【図１】本発明の好ましい実施形態によるヘッドホンを説明する回路ブロック図である。
【図２】本発明の別の好ましい実施形態によるヘッドホンを説明する回路ブロック図である。
【図３】本発明のさらに別の好ましい実施形態によるヘッドホンを説明する回路ブロック図である。
【図４】本発明のさらに別の好ましい実施形態によるヘッドホンを説明する回路ブロック図である。
【符号の説明】
【００４５】
１  ヘッドホン
１１  入力端子
１２  受信部
１２１  アンテナ
１３  増幅部
１４Ｒ、１４Ｌ  スピーカー
１５  バッテリ
１６  電源スイッチ
１７  切替部
１７１、１７２  リレー
１７３、１７４  スイッチ
Ｌ、Ｒ  オーディオ信号
Ｖ１  切替電圧
Ｖ２  バッテリ電圧
【図１】
2009224911.tif 000003
【図２】
2009224911.tif 000004
【図３】
2009224911.tif 000005
【図４】
2009224911.tif 000006